(57)【要約】【課題】ソケット構造を有したプラグインタイプであって、且つ虚負荷試験ができ、虚負荷試験後は不正行為により、電流端子と電圧端子との間が開放されることを防止できる電子式電力量計を提供する。【解決手段】電線を介して負荷に供給された電力量を計測する電力量計測ユニット３と、電線が接続される端子ブロック２及び電力量計測ユニット３を電気的に接続するためのソケット構造を有する筐体１とを備えた電子式電力量計であって、電力量計測ユニット３に電流を入力するための電流端子と、電流端子と分離して設けられ、電力量計測ユニット３に電圧を入力するための電圧端子と、筐体１内部に設けられ、電流端子と電圧端子とを短絡／開放するための試験用端子１６とを備える。【選択図】図３
2006226842.tif 000002
【特許請求の範囲】
【請求項１】
電線を介して負荷に供給された電力量を計測する電力量計測ユニットと、
前記電線が接続される端子ブロック及び前記電力量計測ユニットを電気的に接続するためのソケット構造を有する筐体と、
を備えた電子式電力量計であって、
前記電力量計測ユニットに電流を入力するための電流端子と、
前記電流端子と分離して設けられ、前記電力量計測ユニットに電圧を入力するための電圧端子と、
前記筐体内部に設けられ、前記電流端子と前記電圧端子とを短絡／開放するための試験用端子と、
を備えることを特徴とする電子式電力量計。
【請求項２】
前記電流端子及び前記電圧端子の各端子は、
一方向または他方向に突起した突起部を有し、前記突起部間を短絡／開放することにより前記電流端子−前記電圧端子間を短絡／開放することを特徴とする請求項１記載の電子式電力量計。
【請求項３】
前記試験用端子は、
前記電流端子に形成された第１ねじ穴に螺合させるための第１ねじと、
前記電圧端子に形成された第２ねじ穴に螺合させるための第２ねじと、
前記第１ねじまたは前記第２ねじにより摺動可能に取り付けられ、前記第１ねじと前記第２ねじとの間を短絡／開放するための可動部と、
を有し、
前記可動部を上方向に摺動させて固定することで前記電流端子と前記電圧端子とが短絡することを特徴とする請求項１または請求項２記載の電子式電力量計。
【請求項４】
前記試験用端子は、
前記電流端子に形成された第１ねじ穴に螺合させるための第１ねじと、
前記電圧端子に形成された第２ねじ穴に螺合させるための第２ねじと、
前記第１ねじまたは前記第２ねじを支点に回転可能に取り付けられ、前記第１ねじと前記第２ねじとの間を短絡／開放するための可動部と、
を有し、
前記可動部を回転させて固定することで前記電流端子と前記電圧端子とが短絡することを特徴とする請求項１または請求項２記載の電子式電力量計。
【請求項５】
電線を介して負荷に供給された電力量を計測する電力量計測ユニットと、
前記電線が接続される端子ブロック及び前記電力量計測ユニットを電気的に接続するためのソケット構造を有する筐体と、
を備えた電子式電力量計であって、
前記電力量計測ユニットに電流を入力するための電流端子と、
前記電流端子と分離して設けられ、前記電力量計測ユニットに電圧を入力するための電圧端子と、
を備え、
前記電流端子及び前記電圧端子の各端子には、ねじ切り部が形成され、前記電流端子と前記電圧端子とは前記ねじ切り部を中心に分離され、前記ねじ切り部にねじを螺合させることにより、前記電流端子と前記電圧端子との間が短絡することを特徴とする電子式電力量計。
【発明の詳細な説明】
【技術分野】
【０００１】
本発明は、ソケット構造を有するプラグインタイプの電子式電力量計に関し、特に、虚負荷試験を行うための試験用端子を筐体内部に有する電子式電力量計に関する。
【背景技術】
【０００２】
従来、需要家が使用する電力量を計量するための電力量計として、電子式電力量計が知られている（例えば、特許文献１）。図１６は従来の電子式電力量計の外観正面図である。従来の電子式電力量計は、電線が接続される端子ブロック１０２を有し、電力量を計量するための電子回路が搭載された基板（図示しない）や計量値を表示するための表示部（図示しない）がネジ止め等により筐体１０１内に固定されている。また、筐体１０１は封印部１０３で堅固に封印されている。
【０００３】
端子ブロック１０２は、図１６（ａ）に示すように電力供給設備からの電線が接続される入力端子１０２ａ（端子１Ｓ〜３Ｓ）、負荷への電線が接続される出力端子１０２ｂ（端子１Ｌ〜３Ｌ）を有している。また、端子ブロック１０２は、図１６（ｂ）に示すように、Ｉ素子、III素子の電流を入力するための電流端子１１１、１１３及びＩ素子、II素子、III素子の電圧を入力するための電圧端子１１１ａ、１１２、１１３ａを備えている。
【０００４】
また、端子ブロック１０２は、電流端子１１１と電圧端子１１１ａとの間、電流端子１１３と電圧端子１１３ａとの間に設けられ、電流端子−電圧端子間を短絡／開放するための試験用端子１２０を有している。虚負荷試験時は、図１６（b）に示すように、この試験用端子１２０を固定しているねじ１１７を弛めて、摺動させることにより、電流端子−電圧端子間を開放して試験を行う。試験終了後は、図１６（c）に示すように、試験用端子１２０により電流端子−電圧端子間を短絡した状態で固定し、端子ブロック１０２にカバー（図示しない）が取り付けられる。カバーを端子ブロック１０２に取付け後、カバーには封印が施される。
【特許文献１】特開２００１−７４７８０号公報
【発明の開示】
【発明が解決しようとする課題】
【０００５】
従来の電子式電力量計は、基板や表示部が筐体１０１内にネジ止め等により固定され、電流端子−電圧端子間を短絡／開放するための試験用端子１２０が端子ブロック１０２上に設けられている。
【０００６】
しかしながら、端子ブロック１０２のカバーに施された封印は、筐体１０１の封印部１０３に施される封印に比べて、模倣されやすい。このため、端子ブロック１０２のカバーに施された封印を強制的に破り、試験用端子１２０を操作して、電流端子−電圧端子間を開放させた状態で封印を模倣して元に戻すような、通常の計量を妨げる不正行為が報じられている。
【０００７】
このため、封印が破られるのを想定して、電流端子と電圧端子とを分離できない構造にすることも考えられているが、電流端子と電圧端子とを分離できない構造にすると、虚負荷試験を行うことができず、実負荷試験を行わなければならなくなる。しかし、製造メーカでの試験、現状の型式承認制度や検定制度とその運用状況及び電力量計所有者や修理業者などの運用状況を考えると、実負荷試験を行うことは望ましくない。
【０００８】
そこで、本発明は、上記に鑑みてなされたものであり、ソケット構造を有したプラグインタイプであって、且つ虚負荷試験ができ、虚負荷試験後は不正行為により、電流端子と電圧端子との間が開放されることを防止できる電子式電力量計を提供することを課題とする。
【課題を解決するための手段】
【０００９】
本発明は前記課題を解決するために以下の手段を採用した。請求項１の発明は、電線を介して負荷に供給された電力量を計測する電力量計測ユニットと、前記電線が接続される端子ブロック及び前記電力量計測ユニットを電気的に接続するためのソケット構造を有する筐体とを備えた電子式電力量計であって、前記電力量計測ユニットに電流を入力するための電流端子と、前記電流端子と分離して設けられ、前記電力量計測ユニットに電圧を入力するための電圧端子と、前記筐体内部に設けられ、前記電流端子と前記電圧端子とを短絡／開放するための試験用端子とを備えることを特徴とする。
【００１０】
請求項２の発明は、請求項１記載の電子式電力量計において、前記電流端子及び前記電圧端子の各端子は、一方向または他方向に突起した突起部を有し、前記突起部間を短絡／開放することにより前記電流端子−前記電圧端子間を短絡／開放することを特徴とする。
【００１１】
請求項３の発明は、請求項１または請求項２記載の電子式電力量計において、前記試験用端子は、前記電流端子に形成された第１ねじ穴に螺合させるための第１ねじと、前記電圧端子に形成された第２ねじ穴に螺合させるための第２ねじと、前記第１ねじまたは前記第２ねじにより摺動可能に取り付けられ、前記第１ねじと前記第２ねじとの間を短絡／開放するための可動部とを有し、前記可動部を上方向に摺動させて固定することで前記電流端子と前記電圧端子とが短絡することを特徴とする。
【００１２】
請求項４の発明は、請求項１または請求項２記載の電子式電力量計において、前記試験用端子は、前記電流端子に形成された第１ねじ穴に螺合させるための第１ねじと、前記電圧端子に形成された第２ねじ穴に螺合させるための第２ねじと、前記第１ねじまたは前記第２ねじを支点に回転可能に取り付けられ、前記第１ねじと前記第２ねじとの間を短絡／開放するための可動部とを有し、前記可動部を回転させて固定することで前記電流端子と前記電圧端子とが短絡することを特徴とする。
【００１３】
請求項５の発明は、電線を介して負荷に供給された電力量を計測する電力量計測ユニットと、前記電線が接続される端子ブロック及び前記電力量計測ユニットを電気的に接続するためのソケット構造を有する筐体とを備えた電子式電力量計であって、前記電力量計測ユニットに電流を入力するための電流端子と、前記電流端子と分離して設けられ、前記電力量計測ユニットに電圧を入力するための電圧端子とを備え、前記電流端子及び前記電圧端子の各端子には、ねじ切り部が形成され、前記電流端子と前記電圧端子とは前記ねじ切り部を中心に分離され、前記ねじ切り部にねじを螺合させることにより、前記電流端子と前記電圧端子との間が短絡することを特徴とする。
【発明の効果】
【００１４】
請求項１の発明によれば、筐体内部で電流端子と電圧端子とが分離され、電流端子と電圧端子との間を短絡／開放するための試験用端子を筐体内部に設けたので、虚負荷試験を行うことができ、虚負荷試験後は、不正行為により、電流端子と電圧端子との間が開放されることを防止できる。また、ソケット構造により電力量計測ユニットを電気的に接続するので、電力量計測ユニットのみを交換したり、電力量計測ユニットと筐体とを異なるメーカの組み合わせで実現するなど、電力量計所有者の運用コストを低減することができる。
【００１５】
請求項２の発明によれば、電流端子及び電圧端子の各端子は、一方向または他方向に突起した突起部を有し、突起部間を短絡／開放することにより電流端子−電圧端子間を短絡／開放するので、電流端子や電圧端子の位置を変更することなく試験用端子を設けることができる。
【００１６】
請求項３の発明によれば、試験用端子は、可動部を上方向に摺動させて固定することで電流端子と電圧端子とが短絡するので、可動部が固定されていない状態では可動部が下方向に移動するため、可動部が固定されているかどうかを目視で確認することができる。
【００１７】
請求項４の発明によれば、試験用端子は、可動部を回転させて固定することで電流端子と電圧端子とが短絡するので、可動部が固定されていない状態では可動部が回転するため、可動部が固定されているかどうかを目視で確認することができる。
【００１８】
請求項５の発明によれば、筐体内部で電流端子と電圧端子とがねじ切り部を中心に分離され、電流端子及び電圧端子の各端子に形成されたねじ切り部にねじを螺合させることにより、電流端子と電圧端子との間が短絡するので、ねじを取り外すことで虚負荷試験を行うことができ、虚負荷試験後は、不正行為により、電流端子と電圧端子との間が開放されることを防止できる。また、ソケット構造により電力量計測ユニットを電気的に接続するので、電力量計測ユニットのみを交換したり、電力量計測ユニットと筐体とを異なるメーカの組み合わせで実現するなど、電力量計所有者の運用コストを低減することができる。さらに、ねじが取り付けられているかどうかで電流端子−電圧端子間が短絡しているか開放しているかを目視で確認することができる。
【発明を実施するための最良の形態】
【００１９】
以下、本発明の実施例に係る電子式電力量計を図面を参照しながら詳細に説明する。
【実施例１】
【００２０】
図１は本発明に係る電子式電力量計（単相３線式）の外観正面図であり、図２は本発明の実施例１に係る電子式電力量計の筐体内部の電気的接続部を示した図であり、図３は図２の電気的接続部を覆う絶縁蓋５を閉じたときの図である。
【００２１】
図１に示すように、本発明に係る電子式電力量計は、電線が接続される端子ブロック２を備えた筐体１内に、電力量を計測して計測値を表示する電力量計測ユニット３、電力量計測ユニット３と負荷との間を開閉する開閉器ユニット４（または短絡ユニット）、通信ユニット（図示しない）等の各ユニットが収納されている。また、筐体１はソケット構造を有し、各ユニットは筐体１にプラグインにより電気的に接続される。
【００２２】
端子ブロック２は、電力供給設備からの電線が接続される入力端子２ａ及び負荷への電線が接続される出力端子２ｂを有する。また、筐体１には封印が施される封印部６を備えている。
【００２３】
図２に示すように、筐体１は、入力端子２ａの端子１Ｓに接続され、Ｉ素子の電流を入力する電流端子１１と、端子３Ｓに接続され、III素子の電流を入力する電流端子１３とを有する。また、筐体１は、Ｉ素子の電圧を入力する電圧端子１１ａと、端子２Ｓに接続され、ＩＩ素子の電圧を入力する電圧端子１２と、III素子の電圧を入力する電圧端子１３ａとを有する。電流端子１１と電圧端子１１ａとの間及び電流端子１３と電圧端子１３ａとの間は分離され、空間を設けることで絶縁性能が確保されている。
【００２４】
図４は図２のＡ部の拡大図である。図４に示すように、電流端子１１、１３には電力量計測ユニット３の電流入力プラグが接続される電流ソケット１４ａ、１４ｃが設けられ、電圧端子１１ａ、１２、１３ａには電力量計測ユニット３の電圧入力プラグが接続される電圧ソケット１５ａ、１５ｂ、１５ｃが設けられている。また、電流端子１１、１３にはねじ穴１８ａが形成されており、電圧端子１１ａ、１３ａにはねじ穴１７ａが形成されている。
【００２５】
図３に示すように、絶縁蓋５には、図示しない通信ユニット等のプラグが挿入される挿入部５ａ、電力量計測ユニット３の電圧入力プラグが挿入される挿入部５ｂ、電力量計測ユニット３の電流入力プラグ及び電流出力プラグが挿入される挿入部５ｃ、開閉器ユニット４（または短絡ユニット）のプラグが挿入される挿入部５ｄが形成されている。また、絶縁蓋５上には電流端子１１−電圧端子１１ａ間及び電流端子１３−電圧端子１３ａ間を開放／短絡するための試験用端子１６が設けられている。
【００２６】
図５は試験用端子１６の拡大図である。図５に示すように、試験用端子１６は、電圧端子のねじ穴１７ａに螺合させるためのねじ１７と、電流端子のねじ穴１８ａに螺合させるためのねじ１８と、ねじ１８により摺動可能に取り付けられ、ねじ１７とねじ１８との間を短絡／開放するための可動部１６ａで構成されている。
【００２７】
可動部１６ａは、ねじ１７及びねじ１８を弛めて上方向に摺動させて、可動部１６ａをねじ１７及びねじ１８により固定することで、ねじ１７側とねじ１８側との間を短絡することができる（図５（ｂ））。また、ねじ１７及び１８を弛めると、可動部１６ａが下方向に移動して、ねじ１７側とねじ１８側との間が開放される（図５（ａ））。
【００２８】
図６は図３のＢ−Ｂ間の断面図である。図６に示すように、試験用端子１６は絶縁蓋５上から取り付けられ、絶縁蓋５には、試験用端子１６を収納するための溝部５ｅが形成され、各ユニットの取付けに支障をきたさない構造になっている。また、試験用端子１６により、ねじ１７−ねじ１８間を短絡された状態で、ねじ１７を電圧端子１１ａのねじ穴１７ａに螺合させ、ねじ１８を電流端子１１のねじ穴１８ａに螺合させることで、電流端子１１−電圧端子１１ａ間を短絡させることができる。電流端子１３−電圧端子１３ａ間も試験用端子１６により同様に短絡させることができる。
【００２９】
このように、本発明の実施例１に係る電子式電力量計は、電流端子と電圧端子とが筐体１内部で分離されており、虚負荷試験時は、筐体１内部に設けられた試験用端子１６の可動部１６ａを下方向に摺動させて、電流端子−電圧端子間を開放して試験を行う。試験終了後に実負荷を印加するときは、試験用端子１６の可動部１６ａを上方向に摺動させて、電流端子−電圧端子間を短絡した状態で筐体１に封印を施す。
【００３０】
このため、悪戯により試験用端子１６が不正に操作されてしまうこと防止できる。また、実施例１の試験用端子１６はねじ１７が弛んだ状態のままでは、可動部１６ａが下方向に移動するため、ねじ１７の締め忘れを目視で確認することができ、安全性が向上する。また、プラグインタイプであるため、電力量計測ユニットのみを交換したり、電力量計測ユニットと筐体とを異なるメーカの組み合わせで実現するなど、電力量計所有者の運用コストを低減することができる。
【実施例２】
【００３１】
図７は本発明の実施例２に係る電子式電力量計（単相３線式）の筐体内部の電気的接続部を示した図であり、図８は図７の電気的接続部を覆う絶縁蓋５を閉じたときの図である。
【００３２】
図７に示すように、筐体１は、入力端子２ａの端子１Ｓに接続され、Ｉ素子の電流を入力する電流端子２１、端子３Ｓに接続され、III素子の電流を入力する電流端子２３を有する。また、筐体１は、Ｉ素子の電圧を入力する電圧端子２１ａ、端子２Ｓに接続され、II素子の電圧を入力する電圧端子２２、III素子の電圧を入力する電圧端子２３ａを有する。
【００３３】
図９は図７のＣ部の拡大図である。図９に示すように、電流端子２１、２３には電流ソケット２４ａ、２４ｃが設けられ、電圧端子２１ａ、２２、２３ａには電圧ソケット２５ａ、２５ｂ、２５ｃが設けられている。また、電流端子２１、２３にはねじ切り部２７ｂが略半円状に形成され、電圧端子２１ａ、２３ａにはねじ切り部２７ａが略半円状に形成されている。
【００３４】
電流端子２１−電圧端子２１ａ間及び電流端子２３−電圧端子２３ａ間はねじ切り部２７ａ、２７ｂを中心に鍵型に分離され、電流端子−電圧端子間には隔壁２８が設けられ、電流端子−電圧端子間の絶縁性能が確保されている。この隔壁２８は、端子部と同一面までの奥行きを持ち、ねじ切り部２７ａと２７ｂとの間にはねじ２７を挿入するための空間が確保されている。
【００３５】
図１０はねじ切り部２７ａ、２７ｂ周辺の拡大図であり、ねじ切り部２７ａ、２７ｂにねじ２７を螺合させることで、電流端子２１−電圧端子２１ａ間及び電流端子２３−電圧端子２３ａ間を短絡することができる（図１０（ｂ））。また、ねじ２７を取り外すことで、電流端子２１−電圧端子２１ａ間及び電流端子２３−電圧端子２３ａ間を開放することができる（図１０（ａ））。
【００３６】
図８に示すように、ねじ２７は絶縁蓋５上から取り付けられ、絶縁蓋５にはねじ２７を収納するための溝部（図示しない）が形成され、各ユニットの取付けに支障をきたさない構造になっている。その他の構成は実施例１の構成と同様であり、重複する説明は省略する。
【００３７】
このように、本発明の実施例２に係る電子式電力量計は、電流端子と電圧端子とが筐体１内部で分離されており、虚負荷試験時は、電圧端子、電流端子に形成されたねじ切り部２７ａ、２７ｂに螺合されたねじ２７を取り外すことにより、電流端子−電圧端子間を開放して試験を行う。試験終了後に実負荷を印加するときは、ねじ２７をねじ切り部２７ａ及び２７ｂに螺合させることにより電流端子−電圧端子間を短絡した状態で筐体１に封印を施す。
【００３８】
このため、悪戯によりねじ２７が不正に操作されてしまうこと防止できる。また、実施例２の電子式電力量計では、ねじ２７が取り付けられているかどうかで電流端子−電圧端子間が短絡しているか開放しているかが目視で確認することができ、安全性が向上する。また、プラグインタイプであるため、電力量計測ユニットのみを交換したり、電力量計測ユニットと筐体とを異なるメーカの組み合わせで実現するなど、電力量計所有者の運用コストを低減することができる。
【実施例３】
【００３９】
図１１は本発明の実施例３に係る電子式電力量計（単相３線式）の筐体内部の電気的接続部を示した図であり、図１２及び図１３は図１１の電気的接続部を覆う絶縁蓋５を閉じたときの図である。
【００４０】
図１１に示すように、筐体１は、入力端子２ａの端子１Ｓに接続され、Ｉ素子の電流を入力する電流端子３１、端子３Ｓに接続され、III素子の電流を入力する電流端子３３を有する。また、筐体１は、Ｉ素子の電圧を入力する電圧端子３１ａ、端子２Ｓに接続され、II素子の電圧を入力する電圧端子３２、III素子の電圧を入力する電圧端子３３ａを有する。
【００４１】
図１４は図１１のＤ部の拡大図である。図１４に示すように、電流端子３１、３３には電流ソケット３４ａ、３４ｃが設けられ、電圧端子３１ａ、３２、３３ａには電圧ソケット３５ａ、３５ｂ、３５ｃが設けられている。電流端子３１と電圧端子３１ａとの間は分離され、電流端子３１、電圧端子３１ａは左方向に突起した突起部４０、４０ａを有する。電流端子３３と電圧端子３３ａとの間は分離され、電流端子３３、電圧端子３３ａは右方向に突起した突起部４１、４１ａを有する。突起部４０、４１にはねじ穴３８ａが形成され、突起部４０ａ、４１ａにはねじ穴３７ａが形成されている。電流端子−電圧端子間には端子部と同一面までの奥行きを持つ隔壁３９が設けられ、電流端子−電圧端子間の絶縁性能が確保されている。また、突起部４０−４０ａ間及び突起部４１−４１ａ間は、空間が空けられることで絶縁性能が確保されている。
【００４２】
図１２は実施例３に係る電子式電力量計に試験用端子４２を取り付けたときの図である。試験用端子４２の構造は実施例１の試験用端子１６の構造と同様であるため、説明を省略する。
【００４３】
図１３は実施例３に係る電子式電力量計に試験用端子４３を取り付けたときの図である。図１５は試験用端子４３の拡大図である。図１５に示すように、試験用端子４３は、電圧端子のねじ穴３７ａに螺合させるためのねじ３７と、電流端子のねじ穴３８ａに螺合させるためのねじ３８と、ねじ３８を支点に回転可能に取り付けられ、ねじ３７とねじ３８との間を短絡／開放するための可動部４３ａで構成されている。
【００４４】
可動部４３ａは、ねじ３７及びねじ３８を弛めて、ねじ３８を支点に回転させて、可動部４３ａをねじ３７及びねじ３８により固定することで、ねじ３７側とねじ３８側との間を短絡することができる（図１５（ａ））。また、ねじ３７及び３８を弛めると、可動部４３ａがねじ３８を支点に回転して、ねじ３７側とねじ３８側との間が開放される（図１５（ｂ））。
【００４５】
試験用端子４３により、ねじ３７−ねじ３８間を短絡された状態で、ねじ３７を突起部４０ａのねじ穴３７ａに螺合させ、ねじ３８を突起部４０のねじ穴３８ａに螺合させることで、電流端子３１−電圧端子３１ａ間を短絡させることができる。電流端子３３−電圧端子３３ａ間も試験用端子４３により同様に短絡させることができる。
【００４６】
また、図１２及び図１３に示すように、試験用端子４２及び４３は絶縁蓋５上から取り付けられ、絶縁蓋５には試験用端子４２及び４３を収納するための溝部（図示しない）が形成され、各ユニットの取付けに支障をきたさない構造になっている。その他の構成は実施例１の構成と同様であり、重複する説明は省略する。
【００４７】
このように、本発明の実施例３に係る電子式電力量計は、電流端子と電圧端子とが筐体１内部で分離されており、虚負荷試験時は、筐体１内部に設けられた試験用端子４２または４３により電流端子−電圧端子間を開放して試験を行う。試験終了後に実負荷を印加するときは、試験用端子４２または４３により電流端子−電圧端子間を短絡した状態で筐体１に封印を施す。
【００４８】
このため、悪戯により試験用端子４２または４３が不正に操作されてしまうこと防止できる。また、実施例３の試験用端子４３はねじ３７が弛んだ状態のままでは、可動部４３ａが下方向に回転してしまうため、ねじ３７の締め忘れを目視で確認することができ、安全性が向上する。また、プラグインタイプであるため、電力量計測ユニットのみを交換したり、電力量計測ユニットと筐体とを異なるメーカの組み合わせで実現するなど、電力量計所有者の運用コストを低減することができる。
【００４９】
なお、試験用端子４３を実施例１の電子式電力量計に設けることもできる。
【産業上の利用可能性】
【００５０】
本発明は、電力量を計測する電力量計として、さまざまな需要家において、利用可能である。
【図面の簡単な説明】
【００５１】
【図１】本発明に係る電子式電力量計の外観正面図である。
【図２】本発明の実施例１に係る電子式電力量計の筐体内部の電気的接続部を示した図である。
【図３】図２の電気的接続部を覆う絶縁蓋を閉じたときの図である。
【図４】図２のＡ部の拡大図である。
【図５】本発明の実施例１に係る試験用端子の拡大図である。
【図６】図３のＢ−Ｂ間の断面図である。
【図７】本発明の実施例２に係る電子式電力量計の筐体内部の電気的接続部を示した図である。
【図８】図７の電気的接続部を覆う絶縁蓋を閉じたときの図である。
【図９】図７のＣ部の拡大図である。
【図１０】図９のねじ切り部の周辺の拡大図である。
【図１１】本発明の実施例３に係る電子式電力量計の筐体内部の電気的接続部を示した図である。
【図１２】図１１の電気的接続部を覆う絶縁蓋を閉じたときの図である。
【図１３】図１１の電気的接続部を覆う絶縁蓋を閉じたときの図である。
【図１４】図１１のＤ部の拡大図である。
【図１５】本発明の実施例３に係る試験用端子の拡大図である。
【図１６】従来の電子式電力量計を示す外観正面図である。
【符号の説明】
【００５２】
１、１０１…筐体
２、１０２…端子ブロック
２ａ、１０２ａ…入力端子
２ｂ，１０２ｂ…出力端子
３…電力量計測ユニット
４…開閉器ユニット
５…絶縁蓋
５ａ〜５ｄ…挿入部
５ｅ…溝部
６、１０３…封印部
１１、１３、２１、２３、３１、３３、１１１、１１３…電流端子
１１ａ、１２、１３ａ、２１ａ、２２、２３ａ、３１ａ、３２、３３ａ、１１１ａ、１１２、１１３ａ…電圧端子
１４ａ、１４ｃ、２４ａ、２４ｃ、３４ａ、３４ｃ…電流ソケット
１５ａ、１５ｂ、１５ｃ、２５ａ、２５ｂ、２５ｃ、３５ａ、３５ｂ、３５ｃ…電圧ソケット
１６、４２、４３、１２０…試験用端子
１６ａ、４３ａ…可動部
１７ａ、１８ａ、３７ａ、３８ｂ…ねじ穴
２７ａ、２７ｂ…ねじ切り部
２８、３９…隔壁
４０、４０ａ、４１、４１ａ…突起部
【図１】
2006226842.tif 000003
【図２】
2006226842.tif 000004
【図３】
2006226842.tif 000005
【図４】
2006226842.tif 000006
【図５】
2006226842.tif 000007
【図６】
2006226842.tif 000008
【図７】
2006226842.tif 000009
【図８】
2006226842.tif 000010
【図９】
2006226842.tif 000011
【図１０】
2006226842.tif 000012
【図１１】
2006226842.tif 000013
【図１２】
2006226842.tif 000014
【図１３】
2006226842.tif 000015
【図１４】
2006226842.tif 000016
【図１５】
2006226842.tif 000017
【図１６】
2006226842.tif 000018